(57)【要約】      （修正有）【課題】ベッドの表面上で滑りにくく、患者の手又は足の動きを抑制可能とする抑制帯を提供する。【解決手段】患者の手又は足を載置可能とする載置部１を設け、この載置部１には、手又は足を載置部１に巻回固定可能とする巻回帯５を設けるとともに、載置部１の裏面６側には、ベッドの表面に密着可能な滑り止め部１３を設ける。【選択図】図１
0003185714.tif 000002
【実用新案登録請求の範囲】
【請求項１】
患者の手又は足を載置可能とする載置部を設け、この載置部に、載置部上に載置した手又は足を巻回固定可能とする巻回帯を設けるとともに、載置部の裏面側には、ベッドの表面に密着可能な滑り止め部を設けたことを特徴とする抑制帯。
【請求項２】
巻回帯は、載置部の表面に載置した手又は足の両側から巻回可能とするよう載置部の両側に設け、対向する巻回帯の両端側に設けた留具を連結することにより、手又は足を載置部に巻回固定可能としたことを特徴とする請求項１の抑制帯。
【請求項３】
巻回帯は、載置部の表面に載置した手又は足の両側から巻回可能とするよう載置部の両側に設け、対向する巻回帯の両端側を結ぶことにより、手又は足を載置部に巻回固定可能としたことを特徴とする請求項１の抑制帯。
【請求項４】
載置部は、ベッドに巻回固定可能とする固定帯を設けたことを特徴とする請求項１、２、または３の抑制帯。
【考案の詳細な説明】
【技術分野】
【０００１】
本考案は、手術中の患者の手又は足の動きを抑制するための抑制帯に関するものである。
【背景技術】
【０００２】
手術中の患者の安全性の確保や手術の円滑化を図るために、特許文献１に示す如く患者の手又は足をベッドに固定して手又は足の動きを抑制するための抑制帯が、従来より使用されている。この抑制帯は、特許文献１に示す如く帯状であって、患者の手又は足に巻回して手又は足をベッドに固定するものである。
【先行技術文献】
【特許文献】
【０００３】
【特許文献１】実開昭６４−３１７２２号公報
【考案の開示】
【考案が解決しようとする課題】
【０００４】
しかしながら、特許文献１に示す如き抑制帯によって患者の手又は足を固定した場合でも、ベッド上で抑制帯が滑って患者の手又は足が動くおそれがある。
【０００５】
そこで、本考案は上述の如き課題を解決しようとするものであって、ベッド上で滑りにくく、患者の手又は足の動きを抑制可能とする抑制帯を得ようとするものである。
【課題を解決するための手段】
【０００６】
上述の如き課題を解決するため、本考案は、患者の手又は足を載置可能とする載置部を設け、この載置部に、載置部上に載置した手又は足を巻回固定可能とする巻回帯を設けるとともに、載置部の裏面側には、ベッドの表面に密着可能な滑り止め部を設けたものである。尚、本考案のベッドには、ベッドの手台及び足台も含まれている。
【０００７】
また巻回帯は、載置部の表面に載置した手又は足の両側から巻回可能とするよう載置部の両側に設け、対向する巻回帯の両端側に設けた留具を連結することにより、手又は足を載置部に巻回固定可能としたものであってもよい。
【０００８】
また巻回帯は、載置部の表面に載置した手又は足の両側から巻回可能とするよう載置部の両側に設け、対向する巻回帯の両端側を結ぶことにより、手又は足を載置部に巻回固定可能としたものであってもよい。
【０００９】
また載置部は、ベッドの手台又は足台に巻回固定可能とする固定帯を設けたものであってもよい。
【考案の効果】
【００１０】
本考案は上記の如く構成したものであって、ベッド上に密着可能な滑り止め部を載置部の裏面側に設けることにより、ベッドの表面と載置部とが密着するため、抑制帯がベッドの表面で滑りにくいものとなり、この抑制帯を装着した患者の手又は足の動きを確実に抑制することが可能となる。また、手術前に予め抑制帯をベッド上に載置する場合は、上記滑り止め部がベッドの表面に密着するため、抑制帯がベッド上から滑り落ちる事態を防ぐことができ、清潔な使用を保つことができる。
【図面の簡単な説明】
【００１１】
【図１】本考案の実施例１を示す裏面側の平面図。
【図２】実施例１の表面側を示す平面図。
【図３】実施例１の使用状態を示す斜視図。
【図４】実施例２の裏面側を示す平面図。
【図５】実施例２の表面側を示す平面図。
【図６】実施例３の表面側を示す平面図。
【図７】実施例３の裏面側を示す平面図。
【実施例１】
【００１２】
本考案の実施例１について説明すると、図１、２に示す如く(1)は載置部であって、その表面(2)に、ベッド(3)上の患者(4)の手又は足を載置するものである。またこの載置部(1)には、患者(4)の手又は足を載置部(1)に固定するための巻回帯(5)を設けるとともに、載置部(1)の裏面(6)にはベッド(3)の手台又は足台(7)に載置部(1)を固定するための固定帯(8)を固定配置している。
【００１３】
本実施例について更に詳細に説明すると、図１に示す如く、長方形状の載置部(1)に、長尺な帯状の巻回帯(5)を載置部(1)の長さ方向に沿って設けている。そして、各巻回帯(5)の両端側にはそれぞれ一対の留具(10)を設けており、この留具(10)を接続することにより巻回帯(5)の両端部(11)を連結することができる。
【００１４】
また上記巻回帯(5)の裏面(6)には、図１に示す如く固定帯(8)を設けている。また、この固定帯(8)には一端及び他端側にそれぞれ接続具(12)を設けており、この接続具(12)を接続することにより、固定帯(8)を連結することができる。
【００１５】
尚、本実施例及び以下の実施例では、上記留具(10)、及び接続具(12)として、金属製のものや面ファスナーを使用せずにプラスチック製のものを使用している。金属製のものは手術で電気メス等を使用した際に火花が飛び散る等の危険性が伴うものであり、また面ファスナーは繰り返しの洗浄によって接着性能が低下するため、手術中に巻回帯(5)や固定帯(8)が外れて患者(4)の手又は足の固定が困難となるおそれがある。
【００１６】
また、上記の如く載置部(1)の裏面(6)側には、長方形でシート状の滑り止め部(13)を固定配置している。この滑り止め部(13)はシリコン樹脂製であって、載置部(1)の裏面(6)に設けた固定帯(8)に位置している。ベッド(3)に接触配置することによってベッド(3)の表面に密着可能としている。尚、本実施例及び下記実施例では滑り止め部(13)をシリコン樹脂製としているが、他の異なる実施例ではこれに限らず、ゴム製、塩化ビニル製、ウレタン樹脂製等とすることも可能である。
【００１７】
上記の如く構成したものを患者(4)の足に装着する場合について以下に説明する。尚、本実施例では患者(4)の足に装着する場合について説明するが、患者(4)の手に装着する場合も本実施例と同様に行うことができる。まず、載置部(1)の裏面(6)をベッド(3)の足台(7)上に接触させた状態で載置部(1)を載置する。この時、上記の如く載置部(1)の裏面(6)側に滑り止め部(13)を設けていることから、この滑り止め部(13)が足台(7)の表面に密着するものとなる。
【００１８】
そのため、抑制帯がベッド(3)から滑り落ちる事態を防ぐことができ、抑制帯の清潔な使用を保つことができる。そして、載置部(1)の裏面(6)に設けた固定帯(8)を足台(7)の底面側に巻き回し、この固定帯(8)に設けた接続具(12)を足台(7)の底面にて連結することにより、載置部(1)が足台(7)に固定される。
【００１９】
次に、載置部(1)の表面(2)に設けた巻回帯(5)を、足台(7)上の患者(4)の足の両側から上方に巻き回し、図３に示す如く対向する接続具(12)を連結する。これにより、患者(4)の足が抑制帯によってベッド(3)の足台(7)に固定されるものとなる。この時、載置部(1)の裏面(6)側に設けた滑り止め部(13)が足台(7)の表面に密着しているため、載置部(1)が足台(7)上で滑りにくいものとなり、患者(4)の足の動きを抑制することができる。
【実施例２】
【００２０】
また、上記実施例１では巻回帯(5)に留具(10)を設け、この留具(10)を連結することにより患者(4)の足を載置部(1)に固定可能としているが、本実施例では巻回帯(5)に留具(10)を設けていない。即ち、本実施例では図４、５に示す如く、載置部(1)の裏面(6)に巻回帯(5)を固定配置しているが、この巻回帯(5)には留具(10)を設けていない。そのため、患者(4)の足を載置部(1)に固定する場合には、巻回帯(5)の両端部(11)を患者(4)の足の両側から巻回して結ぶものである。
【００２１】
また、この巻回帯(5)には、図４に示す如く載置部(1)の裏面(6)に対応する位置に長方形且つシリコン樹脂製のシート状である滑り止め部(13)を設けている。尚、本実施例では上記実施例と異なり、載置部(1)に固定帯(8)を設けていない。しかしながら、上記の如く載置部(1)の裏面(6)側に滑り止め部(13)を配置していることから、この滑り止め部(13)と足台(7)の表面とが密着して、足台(7)上で載置部(1)が滑りにくいものとなる。従って、載置部(1)に固定した患者(4)の足の動きを抑制することができる。
【実施例３】
【００２２】
上記実施例１、２では、図３に示す如く片足につき抑制帯を２個、個別に配置しているが、本実施例では１個のみの抑制帯の配置によって患者(4)の片足の固定を行うことができる。即ち、本実施例の抑制帯は図６に示す如く、上下方向に長尺な長方形の載置部(1)の表面(2)に、巻回帯(5)を２箇所設けている。そして、巻回帯(5)の両端側にはそれぞれ留具(10)を設けており、各巻回帯(5)の対向する留具(10)どうしをそれぞれ接続することにより、巻回帯(5)の両端部(11)を連結することができる。
【００２３】
尚、本実施例の上下左右方向は、図６、７の上下左右方向に則したものである。また図６、７に示す如く、載置部(1)の左右両側部には覆布(14)を連設するとともに、載置部(1)の裏面(6)には固定帯(8)を３か所、等間隔に設けている。この固定帯(8)のうち２本は上記巻回帯(5)の対応位置にそれぞれ設け、残りの１本は上記２本の間に設けている。
【００２４】
また、上記載置部(1)の裏面(6)側に位置する固定帯(8)には長方形でシート状の滑り止め部(13)を設けており、これにより載置部(1)の裏面(6)側に滑り止め部(13)が位置するものとなる。上記の如く構成したものを患者(4)の足に装着する場合について以下に説明する。
【００２５】
まず、載置部(1)の裏面(6)を足台(7)の表面側に接触させて、載置部(1)をベッド(3)の足台(7)上に載置する。この時、上記の如く載置部(1)の裏面(6)を足台(7)の表面に接触配置しているため、載置部(1)の裏面(6)に設けた滑り止め部(13)が足台(7)の表面に密着するものとなる。
【００２６】
そのため、抑制帯がベッド(3)から滑り落ちる事態を防ぐことが可能となり、抑制帯の清潔な使用を保つことができる。そして、載置部(1)の裏面(6)に設けた固定帯(8)を足台(7)の底面側に巻き回し、足台(7)の底面にて対向する固定帯(8)の接続具(12)どうしを連結することにより、載置部(1)が足台(7)に固定される。
【００２７】
次に、載置部(1)に設けた巻回帯(5)を足台(7)上の患者(4)の足の両側から上方に巻き回し、各巻回帯(5)毎に対向する留具(10)を連結することにより、患者(4)の足を載置部(1)に固定する。これにより、患者(4)の足が抑制帯によってベッド(3)の足台(7)に固定されるものとなる。この時、上記の如く載置部(1)の裏面(6)側に設けた滑り止め部(13)によって足台(7)上での載置部(1)の動きを抑えることができるため、載置部(1)上の患者(4)の足の動きを抑制することが可能となる。
【００２８】
更に、載置部(1)の両側に連設した覆布(14)を患者(4)の足の両側から上面にかけて覆うことにより、巻回帯(5)にて患者(4)の足を被覆して足の保温を行うことができる。また、足台(7)の底面側にて接続帯の固定具から下方に垂れ下がっている固定帯(8)の両端部を患者(4)の足の上方に巻き回し、固定帯(8)の端部に設けたスナップ(15)を対向する端部どうしで固定することにより、固定帯(8)の端部を患者(4)の足の上方にて固定する。以上により、患者(4)の足への抑制帯の装着作業が終了する。
【符号の説明】
【００２９】
１  載置部
２  表面
３  ベッド
４  患者
５  巻回帯
６  裏面
８  固定帯
１０  留具
１３  滑り止め部
【図１】
0003185714.tif 000003
【図２】
0003185714.tif 000004
【図３】
0003185714.tif 000005
【図４】
0003185714.tif 000006
【図５】
0003185714.tif 000007
【図６】
0003185714.tif 000008
【図７】
0003185714.tif 000009